(57)【特許請求の範囲】
【請求項１】
輪転印刷機（３）のための枚葉紙搬送機構（１）であって、枚葉紙保持手段（１２）を備えた枚葉紙搬送装置（４）を有しており、枚葉紙搬送装置の推進が、第１の案内レール（６ａ）内に案内された第１の推進エレメント（１０ａ）並びに第１の案内レール（６ａ）に対してほぼ平行に延びる第２の案内レール（６ｂ）内に案内された第２の推進エレメント（１０ｂ）によって行われるようになっており、第１及び第２の推進エレメント（１０ａ，１０ｂ）が電気的なリニア駆動部の可動子を形成しており、第１及び第２の案内レール（６ａ，６ｂ）に、リニア駆動部の固定子を形成する複数の駆動ステーション（８ａ，８ｂ）が設けられており、かつ駆動ステーション（８ａ，８ｂ）に所属して配置された１つの制御装置（３０）が設けられており、該制御装置によって第１及び第２の推進エレメント（１０ａ，１０ｂ）の運動が制御されかつ調節されるようになっている形式のものにおいて、第１及び第２の推進エレメント（１０ａ，１０ｂ）が１つの枚葉紙搬送装置（４）に対応して配置されていて、かつ磁化可能な材料から成り互いにヒンジ的（２４ａ，２４ｂ）に結合されたそれぞれ少なくとも２つの個別リンク（２２ａ，２２ｂ）を含むリンクチェーンによって形成されており、駆動ステーション（８ａ，８ｂ）の相互の間隔（Ｄ）が少なくとも所定区域で推進エレメント（１０ａ，１０ｂ）の長さ（Ｌ）よりもわずかに小さい若しくは該長さ（Ｌ）とほぼ同じであり、枚葉紙搬送機構が印刷機械の排紙装置（７０）の領域に配置されており、枚葉紙保持手段（１２）がグリッパ装置（１４）によって形成されており、グリッパ装置が枚葉紙（２）を前置の印刷部のグリッパ装置から受け取って、パイル（７２）上に積み重ねるようになっており、複数の枚葉紙搬送装置（４）を設けてあり、該枚葉紙搬送装置が互いに同時に案内レール（６ａ，６ｂ）内を循環するようになっており、制御装置（３０）が枚葉紙パイル（７２）の領域で枚葉紙搬送装置（４）の推進エレメント（１０ａ，１０ｂ；１１０ａ，１１０ｂ）の運動を制御して、連続する２つの枚葉紙搬送装置（４）間の間隔が搬送される枚葉紙（２）の長さよりも小さくされて、排紙される枚葉紙（２）のずり重ね流が形成されるようになっていることを特徴とする、輪転印刷機のための枚葉紙搬送機構。
【請求項２】
輪転印刷機（３）のための枚葉紙搬送機構（１）であって、枚葉紙保持手段（１２）を備えた枚葉紙搬送装置（４）を有しており、枚葉紙搬送装置の推進が、第１の案内レール（６ａ）内に案内された第１の推進エレメント（１０ａ）並びに第１の案内レール（６ａ）に対してほぼ平行に延びる第２の案内レール（６ｂ）内に案内された第２の推進エレメント（１０ｂ）によって行われるようになっており、第１及び第２の推進エレメント（１０ａ，１０ｂ）が電気的なリニア駆動部の可動子を形成しており、第１及び第２の案内レール（６ａ，６ｂ）に、リニア駆動部の固定子を形成する複数の駆動ステーション（８ａ，８ｂ）が設けられており、かつ駆動ステーション（８ａ，８ｂ）に所属して配置された１つの制御装置（３０）が設けられており、該制御装置によって第１及び第２の推進エレメント（１０ａ，１０ｂ）の運動が制御されかつ調節されるようになっている形式のものにおいて、第１及び第２の推進エレメント（１０ａ，１０ｂ）が１つの枚葉紙搬送装置（４）に対応して配置されていて、かつ磁化可能な材料から成り互いにヒンジ的（２４ａ，２４ｂ）に結合されたそれぞれ少なくとも２つの個別リンク（２２ａ，２２ｂ）を含むリンクチェーンによって形成されおり、駆動ステーション（８ａ，８ｂ）の相互の間隔（Ｄ）が少なくとも所定区域で推進エレメント（１０ａ，１０ｂ）の長さ（Ｌ）よりもわずかに小さい若しくは該長さ（Ｌ）とほぼ同じであり、枚葉紙搬送機構が印刷機械の排紙装置（７０）の領域に配置されており、枚葉紙保持手段（１２）がグリッパ装置（１４）によって形成されており、グリッパ装置が枚葉紙（２）を前置の印刷部のグリッパ装置から受け取って、パイル（７２）上に積み重ねるようになっており、案内レール（６ａ，６ｂ）の近傍に単数若しくは複数の乾燥装置（５４，５６）が設けられており、乾燥装置の近くを印刷された枚葉紙（２）が導かれるようになっており、第１及び第２の案内レール（６ａ，６ｂ）が乾燥装置（５４，５６）の領域で上下を延びるレール路（５８，６０）に分割されており、レール路内で枚葉紙搬送装置（４）の速度が減少されており、切換機構（６２）を設けてあり、切換機構が連続する枚葉紙搬送装置（４）を交互に両方のレール路（５８，６０）に送るようになっていることを特徴とする、輪転印刷機のための枚葉紙搬送機構。
【請求項３】
レール路（５８，６０）が互いに間隔を置いてほぼ水平に延びており、乾燥装置（５４，５６）が各レール路（５８，６０）の上側及び下側に配置されて、各枚葉紙（２）の上面と下面とが同時に乾燥可能である請求項２記載の枚葉紙搬送機構。
【請求項４】
枚葉紙保持手段（１２）がグリッパ装置（１４）によって形成されており、グリッパ装置が第１の推進エレメント（１０ａ，１１０ａ）から第２の推進エレメント（１０ｂ，１１０ｂ）へ延びるトラバース（１６）に取り付けられている請求項１から３のいずれか１項記載の枚葉紙搬送機構。
【請求項５】
トラバース（１６）が第１及び第２の推進エレメント（１０ａ，１０ｂ；１１０ａ，１１０ｂ）にヒンジ的（１８ａ，１８ｂ）に結合されている請求項４記載の枚葉紙搬送機構。
【請求項６】
輪転印刷機（３）のための枚葉紙搬送機構（１）であって、枚葉紙保持手段（１２）を備えた枚葉紙搬送装置（４）を有しており、枚葉紙搬送装置の推進が、第１の案内レール（６ａ）内に案内された第１の推進エレメント（１０ａ）並びに第１の案内レール（６ａ）に対してほぼ平行に延びる第２の案内レール（６ｂ）内に案内された第２の推進エレメント（１０ｂ）によって行われるようになっており、第１及び第２の推進エレメント（１０ａ，１０ｂ）が電気的なリニア駆動部の可動子を形成しており、第１及び第２の案内レール（６ａ，６ｂ）に、リニア駆動部の固定子を形成する複数の駆動ステーション（８ａ，８ｂ）が設けられており、かつ駆動ステーション（８ａ，８ｂ）に所属して配置された１つの制御装置（３０）が設けられており、該制御装置によって第１及び第２の推進エレメント（１０ａ，１０ｂ）の運動が制御されかつ調節されるようになっている形式のものにおいて、第１及び第２の推進エレメント（１０ａ，１０ｂ）が１つの枚葉紙搬送装置（４）に対応して配置されていて、かつ磁化可能な材料から成り互いにヒンジ的（２４ａ，２４ｂ）に結合されたそれぞれ少なくとも２つの個別リンク（２２ａ，２２ｂ）を含むリンクチェーンによって形成されており、駆動ステーション（８ａ，８ｂ）の相互の間隔（Ｄ）が少なくとも所定区域で推進エレメント（１０ａ，１０ｂ）の長さ（Ｌ）よりもわずかに小さい若しくは該長さ（Ｌ）とほぼ同じであり、枚葉紙搬送機構が印刷機械の排紙装置（７０）の領域に配置されており、枚葉紙保持手段（１２）がグリッパ装置（１４）によって形成されており、グリッパ装置が枚葉紙（２）を前置の印刷部のグリッパ装置から受け取って、パイル（７２）上に積み重ねるようになっており、枚葉紙搬送機構が印刷機の給紙装置（８０）の領域に配置されており、枚葉紙搬送装置（４）の枚葉紙保持手段（１２）が吸着装置（８４）によって形成されており、吸着装置が枚葉紙パイル（８２）から、搬送すべき枚葉紙（２）を引き離して、印刷機の第１の印刷部へ送るようになっており、制御装置（３０）が第１及び第２の推進エレメント（１０ａ，１０ｂ；１１０ａ，１１０ｂ）の速度を枚葉紙搬送装置（４）の循環中に変化させて、枚葉紙搬送装置（４）の速度が枚葉紙パイル（８２）からの枚葉紙（２）の吸着及び引き離しに際して減少され、次いで所定の値に高められるようになっており、枚葉紙搬送装置（４）の速度が枚葉紙（２）の吸着の後にかつ該枚葉紙の開放の前までに、枚葉紙（２）によって形成されるすり重ね流の速度にほぼ相当する速度に高められるようになっていることを特徴とする、輪転印刷機のための枚葉紙搬送機構。
【請求項７】
吸着装置（８４）が第１の推進エレメント（１０ａ，１１０ａ）から第２の推進エレメント（１０ｂ，１１０ｂ）へ延びるトラバース（１６）に取り付けられている請求項６記載の枚葉紙搬送機構。
【請求項８】
トラバース（１６）が第１及び第２の推進エレメント（１０ａ，１０ｂ；１１０ａ，１１０ｂ）にヒンジ的（１８ａ，１８ｂ）に結合されている請求項７記載の枚葉紙搬送機構。
【請求項９】
複数の枚葉紙搬送装置（４）を設けてあり、該枚葉紙搬送装置が互いに同時に案内レール（６ａ，６ｂ）内を循環するようになっている請求項６から８のいずれか１項記載の枚葉紙搬送機構。
【請求項１０】
制御装置（３０）が第１及び第２の推進エレメント（１０ａ，１０ｂ；１１０ａ，１１０ｂ）の速度を互いに独立に制御並びに調節するようになっており、かつ搬送される枚葉紙（２）の斜め見当調節のために第１の推進エレメント（１０ａ，１１０ａ）と第２の推進エレメント（１０ｂ，１１０ｂ）との間の相対位置が制御装置（３０）によって変化されるようになっている請求項１から９のいずれか１項記載の枚葉紙搬送機構。
【請求項１１】
案内レール（６ａ，６ｂ）の１つの部分区分にある２つの駆動ステーション（８ａ，８ｂ）間の間隔（Ｄ）が、推進エレメント（１０ａ，１０ｂ；１１０ａ，１１０ｂ）の長さ（Ｌ）よりも大きくなっており、推進エレメント（１０ａ，１０ｂ；１１０ａ，１１０ｂ）の運動が前記部分区分でほぼ駆動なしにもっぱら、前置の駆動ステーション（８ａ，８ｂ）によって該推進エレメントに与えられた運動エネルギーでのみ行われるようになっている請求項１から１０のいずれか１項記載の枚葉紙搬送機構。
【発明の詳細な説明】
本発明は輪転印刷機のための、請求項１、２及び６の上位概念に記載の形成の枚葉紙搬送機構に関する。
輪転印刷機のための枚葉紙搬送機構は従来技術で知られていて、例えば印刷機の給紙装置領域で枚葉紙パイルからの枚葉紙の受け取り及び該枚葉紙の第１の印刷部への供給のために使用される。さらに、印刷機内で枚葉紙を印刷部から印刷部へ搬送するために、若しくは最後の印刷部から枚葉紙を排紙装置領域内の排紙パイルに向けて搬送するために枚葉紙搬送機構を用いることが公知であり、この場合、枚葉紙の搬送が異なる印刷機区分では一般的に、互いに異なって形成された枚葉紙搬送機構によって行われる。給紙装置領域内において行程兼牽引式サッカー（Hub- und Schleppsauger）の形の機械的に駆動されてほぼ直線的に運動させられる吸着装置が用いられる。印刷部間、即ち印刷機内では枚葉紙搬送が通常は、枚葉紙案内胴若しくはドラム（Trommel）によって、該枚葉紙案内胴若しくはドラム内に配置されたグリッパ装置を用いて行われる。排紙装置領域では、枚葉紙はもっぱらグリッパブリッジ（Greiferbruecke）によって搬送され、グリッパブリッジは互いに平行に配置されて循環する２つの無端チェーンに取り付けられている。
さらにドイツ連邦共和国特許出願公開第２５０１９６３号公報により、グリッパキャリッジ（Greiferwagen）の形の枚葉紙搬送機構を用いて該グリッパキャリッジ内に配置されたグリッパブリッジによって枚葉紙を印刷機全長にわたって搬送することが公知である。この場合、グリッパキャリッジの駆動が第１及び第２の推進エレメントによって行われ、推進エレメントが両側で印刷機のケーシング内を延びる無端の所属の案内レール内にガイドされていて、電気的なリニアモータの可動子を形成している。両方の案内レールに沿って、無端の固定子コイルを延在させてあり、固定子コイルがグリッパキャリッジの推進のための移動磁界を発生させる。この場合、コイルを各印刷部に所属する電気的に独立した複数の部分区分に分割して、グリッパキャリッジの速度を例えば印刷部間の通過に際して高い精度で制御することが提案されている。述べた枚葉紙搬送機構においては欠点が、固定子コイルが無端のコイルとして構成されていることにあり、このことは高い電気的な出力需要をもたらし、かつ比較的煩雑な制御並びに調節構造、及びこれに付随したコストを必要とする。
本発明の課題は、輪転印刷機のための枚葉紙搬送機構を改善して、該枚葉紙搬送機構が１つの印刷機の個々の部分区分内に自在に使用され、枚葉紙搬送機構の運動が、印刷機内での見当を維持した状態での枚葉紙搬送のために必要な高い精度で行われ、該枚葉紙搬送機構が安価で、かつ推進運動の制御並びに調節のために比較的少ない需要電力しか必要としないようにすることである。
前記課題は本発明に基づき、請求項１、２及び６の特徴部分に記載の構成によって解決された。
本発明の第１の実施形においては、輪転印刷機のための枚葉紙搬送機構に、枚葉紙保持手段を備えた枚葉紙搬送装置が設けてあり、枚葉紙搬送装置の推進が、第１の案内レール内に案内された第１の推進エレメント並びに第１の案内レールに対してほぼ平行に延びる第２の案内レール内に案内された第２の推進エレメントによって行われるようになっており、第１及び第２の推進エレメントが電気的なリニア駆動部の可動子を形成しており、第１及び第２の推進エレメントが１つの枚葉紙搬送装置に対応して配置されていて、かつ磁化可能な材料から成り互いにヒンジ的（gelenkig）に結合されたそれぞれ少なくとも２つの個別リンクを含むリンクチェーンによって形成されている。第１及び第２の案内レールに、リニア駆動部の固定子を形成する複数の駆動ステーションが設けられており、駆動ステーションの相互の間隔が推進エレメントの長さよりも著しく小さくなって若しくは該長さと同じになっており、この場合、第１及び第２の推進エレメントの運動が、駆動ステーションに所属して配置された１つの制御装置によって制御並びに調節されるようになっている。
この場合、磁化可能な材料から成る個別エレメント（Einzelelement）の代わりに、チェーンリンクの個別リンクが閉じた導体ループによって代替されていてよく、この場合、リニア駆動部が公知の非同期駆動部として形成されている。
本発明に基づく枚葉紙搬送機構の有利な使用においては、枚葉紙搬送機構が１つの印刷機の前置の印刷部と後置の印刷部との間に配置されており、枚葉紙保持手段がグリッパ装置によって形成されており、グリッパ装置が枚葉紙を前置の印刷部のグリッパ装置から受け取って、後置の印刷部のグリッパ装置に引き渡すようになっている。
さらに、本発明に基づく枚葉紙搬送機構が同じ形式で１つの印刷機械の排紙装置の領域に配置されており、枚葉紙保持手段がグリッパ装置によって形成されており、グリッパ装置が枚葉紙を前置の印刷部のグリッパ装置から受け取って、パイル上に積み重ねるようになっている。この場合、制御装置が、複数の枚葉紙搬送装置を使用している場合に、推進エレメントの運動を枚葉紙パイルの領域で有利には次のように制御し、即ち、連続する２つの枚葉紙搬送装置間の間隔が、搬送される枚葉紙の長さよりも小さくされて、排紙される枚葉紙のずり重ね流が形成されるようになっている。
本発明に基づく枚葉紙搬送機構の別の有利な使用においては、枚葉紙搬送機構が印刷機の給紙装置の領域に配置されており、枚葉紙搬送装置の枚葉紙保持手段が吸着装置（Saugeinrichtung）によって形成されており、吸着装置が枚葉紙パイルから、搬送すべき枚葉紙を受け取って、印刷機の第１の印刷部へ送るようになっている。この場合、制御装置が第１及び第２の推進エレメントの速度を枚葉紙搬送装置の循環中に次のように変化させ、即ち、枚葉紙搬送装置の速度が枚葉紙パイルからの枚葉紙の吸着及び受け取り際して減少され、次いで所定の値に高められる。
本発明の別の実施形では、輪転印刷機内の搬送機構のための本発明に基づく推進装置は少なくとも１つの案内レール並びに、該案内レール内に案内されて電気的なリニア駆動部の可動子を形成した推進エレメントを備えている。案内レールの外側に、電気的なコイルを含む複数の駆動ステーションを配置してあり、駆動ステーションが電気的なリニア駆動部の固定子を形成しており、推進エレメントが有利には１つのリンクチェーンによって形成されており、リンクチェーンが、磁化可能な材料から成り互いにヒンジ的に結合されたそれぞれ少なくとも２つの個別リンクを有している。駆動ステーションは互いに、少なくとも区域毎（abschnittsweise）に、推進エレメントの長さよりも小さい若しくは該長さと同じ間隔で配置されており、かつ駆動ステーションに所属して１つの制御装置を配置してあり、該制御装置が推進エレメントの運動を制御並びに調節するようになっている。
推進エレメントの前記実施形においては、磁化可能な材料から成る個別エレメントの代わりに、チェーンリンクの個別リンクが閉じた導体ループによって代替されて、かつリニア駆動部が公知の非同期駆動部として形成されていてよい。このような実施形では、推進エレメントが、磁化可能な材料から成りかつスリットを備えたフレキシブルなベルトによって形成されていてよく、この場合、リニア駆動部が磁気抵抗原理に基づいて作動する。
少なくとも１つの推進エレメント、案内レール、並びに所属の駆動ステーションによって形成された本発明に基づく推進装置は、有利な形式で引っ張り装置として、若しくは輪転印刷機内の公知のウエーブ引き込み装置の駆動装置として使用される。
同じように、本発明に基づく搬送装置は搬送グリッパ機構として、若しぐは印刷製品の公知の搬送グリッパ機構のための駆動部として、例えば製本装置などのような後続処理装置内で、完成した印刷製品の搬送のために用いられる。
本発明の別の実施形では、２つの駆動ステーション間の間隔が案内レールの１つの部分区分若しくは複数の部分区分を越えて、推進エレメントの長さよりも大きくなっており、その結果、推進エレメントの運動が該部分区分でほぼ駆動なしにもっばら、該推進エレメントの運動エネルギーでのみ行われるようになっている。
本発明のさらなる構成が従属項に記載してある。
次ぎに図面に示した有利な実施例に基づき本発明を説明する。
図１は、１つのグリッパブリッジ（Greiferbruecke）を備えて、例えば印刷部間若しくは排紙装置領域内に使用される本発明に基づく枚葉紙搬送機構の概略的な平面図、
図２は、図１の枚葉紙搬送機構の概略的な側面図、
図３は、磁化可能な材料のフレキシブルなベルトによって形成された推進エレメントから形成されたグリッパ装置を備える本発明に基づく枚葉紙搬送機構の別の実施形の概略的な斜視図、
図４は、循環する複数の枚葉紙搬送装置、複数の軌道路並びに該軌道路に配属された乾燥装置を備えた本発明に基づく枚葉紙搬送機構を２つの印刷部間に配置されてなる枚葉紙輪転印刷機の概略的な側面図、
図５は、印刷機の排紙装置領域に配置されて乾燥装置及び循環する多数の枚葉紙搬送装置を備えた枚葉紙搬送機構を示す図、
図６は、吸引装置を備えて印刷機の給紙装置領域に配置された本発明に基づく枚葉紙搬送機構の概略図である。
枚葉紙２を、例えば図４に示す印刷機３、特に枚葉紙輪転印刷機内へ搬送するために図１に示す本発明に基づく枚葉紙搬送機構（Bogentransportsystem）１は、枚葉紙搬送装置（Bogentransportvorrichtung）４、互いにほぼ平行に延びる第１及び第２の案内レール６ａ，６ｂ、並びに前記案内レール６ａ，６ｂに沿って互いに間隔Ｄを置いて配置された駆動ステーション（Antriebsstation）８ａ，８ｂを有している。
枚葉紙搬送機構１の本発明に基づく枚葉紙搬送装置４は、第１の案内レール６ａ内に案内された第１の推進エレメント（Vortriebselement）１０ａ、第２の案内レール６ｂ内に案内された第２の推進エレメント１０ｂ、並びにほぼ印刷機若しくは印刷胴（図示せず）の幅にわたって延びて両方のエレメント１０ａ，１０ｂを互いに結合する枚葉紙保持手段（Bogenhaltemittel）１２から成っている。枚葉紙保持手段１２は、枚葉紙輪転印刷機に通常使用されてトラバース１６に取り付けられたグリッパ１４、例えば鉗子形グリッパ（Zangengreifer）によって形成されていてよい。同じ形式で、枚葉紙保持手段１２は、トラバース１６に取り付けられたサッカー（Sauger）若しくは吸着グリッパ（Sauggreifer）、例えば図６に示すサッカー８４によって形成されていてよく、このようなサッカーは例えば枚葉紙印刷機の給紙装置分野で公知である。
本発明の有利な実施例では、第１及び第２の推進エレメントは、図１に示すように、少なくとも２つ、有利には５つ若しくは複数の個別リンク（Einzelglied）２２ａ，２２ｂから成るリンクチェーンによって形成されている。個別リンク２２ａ，２２ｂは磁化可能な金属から成っていて、サマリウム・コバルト、ネオジム硼化鉄、若しくはその他のできるだけ高いエネルギ密度の永久磁気材料製のＮ，Ｓ極を有する永久磁石として形成されていてよい。さらに、個別リンク２２ａ，２２ｂを強磁性の材料、例えば軟鉄から製造することも可能であり、この場合、リニア駆動部（Linearantrieb）は従来技術のリラクタンス原理で作動する。
推進エレメント１０ａ，１０ｂの個別リンク２２ａ，２２ｂは継ぎ手（Gelenk)２４ａ，２４ｂを介して互いに運動可能に結合されている。継ぎ手２４ａ，２４ｂは、例えば公知のボールジョイント（Kugelkopfgelenk）として、若しくは連続する２つの個別リンク２２ａ，２２ｂを互いに結合する簡単なベルト、例えばプラスチックベルト又はゴムベルトとして形成されていてよい。個別リンク２２ａ，２２ｂは、有利には円形（kreisfoermig）の横断面を有していて、第１及び第２の案内レール６ａ，６ｂ内に遊びなく案内されている。第１及び第２の推進エレメント１０ａ，１０ｂのそれぞれ１つの個別リンク２２ａ，２２ｂ（有利には推進エレメント１０ａ，１０ｂの中心に配置されているもの）に、互いに相対する突出部（Vorsprung）２０ａ，２０ｂが形成されており、突出部にトラバース１６が取り付けられている。図１に示してあるように、突出部２０ａ，２０ｂへのトラバース１６の取り付けは有利にはヒンジ（Gelenk）１８ａ，１８ｂによって行われており、従って、第１及び第２の推進エレメント１０ａ，１０ｂ間の相対位置の変化によって、搬送される枚葉紙２の斜め見当調節が行われ得る。案内レール６ａ，６ｂは、個別リンク２２ａ，２２ｂの横断面形状（Querschnittsform）に適合された横断面形状を有しており、各推進エレメント１０ａ，１０ｂのそれぞれ１つの個別リンクに取り付けられた突出部２０ａ，２０ｂが、案内レール６ａ，６ｂ内に形成されて図２に示してある縦スリット２６ａ，２６ｂを通って外側へ延びている。滑り案内を改善するために、個別リンク２２ａ，２２ｂの本体並びに案内レール６ａ，６ｂの内面が公知の滑り被覆、例えばテフロン被覆で覆われていてよい。
駆動ステーション８ａ，８ｂは、図２に示すように、有利には対を成して案内レール６ａ，６ｂの上側及び下側に配置されていて、電磁式の公知のコイル２８を有しており、コイルが概略的に示す制御兼調節装置（Steuerungs-und Regelungseinrichtung）３０を介して電流を供給されて、枚葉紙搬送装置４の推進のための移動磁界を生ぜしめる。換言すれば、駆動ステーション８ａ，８ｂのコイル２８が固定子（Stator）を形成しており、推進エレメント１０ａ，１０ｂの磁化可能な材料から成る個別リンク２２ａ，２２ｂが電気的なリニアモータ若しくはリニア駆動部の可動子（Laeufer）を形成している。両方の案内レール６ａ，６ｂに配置された駆動ステーション８ａ，８ｂは、種々の形式で形成されていてよい。駆動ステーション８ａ，８ｂのコイル２８は、所属の案内レール６ａ，６ｂを、縦スリット２６ａ，２６ｂと逆の側でＵ字形若しくはＣ字形に取り囲んでいてよい。同じ形式で、各駆動ステーション８ａ，８ｂを、案内レール６ａ，６ｂのもっぱら下側及び上側に配置されたコイル対として形成すること、若しくは駆動ステーション８ａ，８ｂ内に公知のクロス流配置（Querflussanordnung）若しくはトランスバーザル流配置（Transversalflussanordnung）のコイルを用いることも考えられる。コイルの選択は、使用するリニア駆動部の形式に関連している。
第１及び第２の推進エレメント１０ａ，１０ｂの個別リンク２２の数は、本発明の図１及び図２に示す実施例では有利に、１つの推進エレメント１０ａ，１０ｂの長さＬが１つの案内レール６ａ，６ｂの２つの駆動ステーション８ａ，８ｂ間の間隔Ｄにほぼ相応するように選ばれており、従って、推進エレメント１０ａ，１０ｂが駆動ステーション８ａ，８ｂの広がりに基づき常に移動磁界の作用領域内にある。しかしながら、１つの案内レール６ａ，６ｂの２つの駆動ステーション８ａ，８ｂ間の間隔Ｄは、所属の１つの推進エレメント１０ａ，１０ｂの長さＬよりも少なくとも節分だけ小さくなっていてよい。
さらに、１つの案内レール６ａ，６ｂの２つの駆動ステーション８ａ，８ｂ間の間隔Ｄは、１つの推進エレメント１０ａ，１０ｂの長さＬよりも少なくとも節分だけ大きくなっていてよく、その結果、推進エレメント１０ａ，１０ｂが完全に駆動ステーション８ａ，８ｂの外側、ひいては移動磁界の作用領域の外側に存在する。このような実施例においては、本発明に基づく枚葉紙搬送装置の推進が第１及び第２の案内レール６ａ，６ｂの２つの駆動ステーション８ａ，８ｂ間で、前置の１つの駆動ステーション８内の第１及び第２の駆動エレメント１０ａ，１０ｂに供給された運動エネルギによってのみ行われる。従って有利には、駆動ステーション８が２つの印刷部間の、枚葉紙搬送装置４の正確な位置決めを必要としない領域で１つの推進エレメント１０ａ，１０ｂの例えば二倍乃至十倍の間隔を置いて配置されていてよい。これによって、駆動ステーション８の数、ひいては装置費用がさらに減少される。これに対して、枚葉紙搬送装置４を高い精度で運動させる必要のある領域、例えば、印刷された枚葉紙を見当調節の維持された状態で後続の印刷部へ引き渡す領域では、複数の駆動ステーション８が直接前後に並べて（unmittelbar hintereinander）若しくは互いに密な間隔で配置されている。
本発明のさらに図３に示す実施例においては、図１及び図２に示した実施例の推進エレメント１０ａ，１０ｂが、磁化可能なフレキシブルな材料、例えば軟鉄若しくは強磁性の特性を有する類似の材料から成っていてスリット１１８を備える一貫したベルト（durchgehendes Band）若しくはストリップ（Streifen）１１０ａ，１１０ｂとして形成されている。本発明の前述のリンクチェーン状の実施例と関連して同じ形式で、推進エレメント１１０ａ，１１０ｂは永久磁石として形成されていてよく、若しくは例えばサマリウム・コバルト、ネオジム硼化鉄、若しくはその他の永久磁気材料から成る、有利には稀土類の組み合わせから成る永久磁石を含んでいてよい。ストリップ１１０ａ，１１０ｂは推進エレメントの改善された案内のために付加的な案内部材（Fuehrungskoerper）１２０有していてよく、案内部材が有利には扁平に形成された案内レール６ａ，６ｂの所属の案内（Fuehrung）１２２内に案内されている。図１及び図２の実施例のリンクチェーンによって形成された推進エレメント１０ａ，１０ｂと同じ形式で、本発明の図３に示す実施例のベルト状の推進エレメント１１０ａ，１１０ｂは有利には、１つの案内レール６ａ，６ｂの２つの駆動ステーション８ａ，８ｂ間の間隔Ｄに相応する長さＬを有している。しかしながら該間隔Ｄは、前述のように長さりも小さくなっていてよく、若しくは節分だけ大きくなっていてよい。
本発明のさらに別の実施例においては、磁化可能な材料から成る個別リンクの代わりに、閉じた導体ループ（geschlossene Leiterschleife）によって形成された個別リンクが用いられてよい。この場合には、リニア駆動部は公知の非同期原理で作動する。
図１乃至図３に示すように本発明の有利な実施例では、駆動ステーション８ａ，８ｂの前にセンサ３２，１３２を配置してあり、センサが制御兼調節装置３０に接続されていて、所属の案内レール６ａ，６ｂ内の第１及び第２の推進エレメント１０ａ，１０ｂ；１１０ａ，１１０ｂの速度及び／又は正確な位置を検出する。制御兼調節装置３０は、第１及び第２の案内レール６ａ，６ｂの駆動ステーション８ａ，８ｂの移動磁界を、センサ３２，１３２によって検出された速度及び／又は位置に関連して制御並びに調節して、枚葉紙搬送装置４が所定の推進運動を行うようになっている。
制御兼調節装置３０が第１及び第２の案内レール６ａ，６ｂの互いに相対する駆動ステーション８ａ，８ｂを対で一緒に制御並びに調節できるにもかかわらず、第１の駆動ステーション８ａの制御並びに調節が本発明の有利な実施例では第２の駆動ステーション８ｂの制御並びに調節に左右されないで行われる。換言すれば、本発明の有利な実施例では第１及び第２の推進エレメント１０ａ，１０ｂ；１１０ａ，１１０ｂが互いに独立に制御並びに調節でき、これによって例えば、第１の推進エレメント１０ａ，１１０ａと第２の推進エレメント１０ｂ、１１０ｂとの間の相対位置を変化させ、その結果、例えば後続の印刷部内での枚葉紙の斜め見当調節を行うことが可能である。さらに本発明の実施例では、第１及び第２の推進エレメント１０ａ，１０ｂ；１１０ａ，１１０ｂの速度を同じ値で増大して、これによって例えば枚葉紙搬送装置４の速度及び位置調節を同時に行うことが可能である。
図１及び図２に示す枚葉紙搬送装置４は本発明に基づき、該枚葉紙搬送装置自体の基本的な原理を逸脱することなしに、印刷機の種々の区分に設置され得る。
図４に示してあるように、例えば、本発明に基づく枚葉紙搬送機構を枚葉紙輪転印刷機の前置の印刷部と後置の印刷部との間に配置することが可能である、この場合、案内レール６ａ，６ｂが閉じた無端レール（geschlossene Endlosschiene）として形成されていてよい。この場合には案内レール６ａ，６ｂ内で、複数の枚葉紙搬送装置４を循環させてあり、枚葉紙搬送装置が枚葉紙２を前置の印刷部の圧胴５０から受け取って、後置の印刷部の圧胴５２のグリッパ装置に引き渡す。この場合、案内レール６ａ，６ｂの上側及び下側に、例えば公知のＩＲ・乾燥機（IR-Trockner）若しくは熱風乾燥機（Heisslufttrockner）の形の乾燥装置５４，５６を設けていてよく、乾燥装置が印刷された枚葉紙２の上面及び場合によっては下面を乾燥させる。本発明の別の実施例に基づき、枚葉紙搬送装置４の速度を乾燥装置５４，５６の領域で制御兼調節装置３０によって減少させて、乾燥装置５４，５６を通る通過時間を長くして、これによって乾燥時間、ひいては乾燥作用を高めてよい。
さらに、第１及び第２の案内レール６ａ，６ｂが並列的に延びる独立（unabhaengig）した２つのレール路若しくは軌道５８，６０に分割されていてよく、これによって、枚葉紙搬送装置４の速度が乾燥装置５４，５６の領域でさらに半分に減少され得る。レール路５８，６０は有利には水平にかつ互いに平行に延びており、この場合、図４に示してあるように、乾燥装置５４，５６が各レール路の上側及び下側に配置されていてよい。枚葉紙搬送装置４を交互に上側のレール路６０と下側のレール路６０とに引き込むために、枚葉紙搬送方向で見てレール路５８，６０の前に公知の切換機構（Weiche）６２が配置されている。
切換機構６２は例えば、付加的な２つの駆動ステーション８′，８″によって形成されていてよく、該駆動ステーシランが各レール路５８，６０の始端部に配置されていて、制御兼調節装置３０によって接続すべき走行路に応じて交互に通電され、これによって推進エレメント１０ａ，１０ｂ；１１０ａ，１１０ｂの先行の端部が磁場の、推進方向に対して垂直に向けられて該端部に作用する力成分によって相応に一方若しくは他方のレール路５８，６０内へ引っ張られる。
さらに、本発明に基づく枚葉紙搬送機構１は公知の枚葉紙輪転印刷機の排紙装置７０の領域に設けられ、若しくは図５に示すように、排紙装置として形成されてよい。本発明に基づく枚葉紙搬送機構の、２つの印刷部の間に設けられて図４に関連して述べた実施例にほぼ相応する該実施例では、印刷された枚葉紙２が枚葉紙搬送装置４によって最後の印刷部から受け取られて、枚葉紙パイル７２上に、若しくは搬送ベルト（図示せず）上に降ろされる。この場合に有利には、制御兼調節装置３０が連続する２つの枚葉紙搬送装置４間の間隔を、枚葉紙パイル７２若しくは搬送ベルトの領域内で、該間隔が枚葉紙２の長さよりも小さくなるように減少させ、その結果、印刷された枚葉紙２がずり重ね流として排紙される。これによって、排紙装置７０内での枚葉紙の排紙速度がさらに有利に減少され得る。ずり重ね流としての枚葉紙の排紙によって、特に後続処理の際、例えば公知の巻体への印刷製品の巻き付けの際の装置費用が著しく減少される。さらに枚葉紙輪転印刷機の排紙装置７０内への本発明に基づく枚葉紙搬送機構１の使用に際して有利には、図５には示してないものの、前置の切換機構によって制御可能な１つのレール路を付加的に排紙パイル７２の領域に設けてあり、該レール路は図４に示したレール路５８，６０と同じ形式で形成されていてよく、枚葉紙サンプルの抜き取りを費用のかかる付加的な枚葉紙サンプル抜き取り装置なしに可能にする。
本発明に基づく枚葉紙搬送機構１のための別の使用例が、該枚葉紙搬送機構を枚葉紙輪転印刷機の給紙装置８０内に使用することにある。図６に示す本発明の実施例においては、案内レール６ａ，６ｂが有利には無端の案内レールとして形成されており、該案内レールが印刷すべき枚葉紙パイル８２の上側に配置されている。保持手段１２は公知の行程サッカー（Hubsauger）８２として形成されていてよく、行程サッカーが例えば枚葉紙搬送装置４の図１に示すトラバース１６に取り付けられていて、吸引空気供給装置（図示せず）によって吸引空気で負荷される。図６に示してあるように、複数の枚葉紙搬送装置４が互いに独立して無端の案内レール６ａ，６ｂ内を循環しており、この場合、制御兼調節装置３０が駆動ステーション８ａ，８ｂを次のように制御並びに調節して、枚葉紙搬送装置４の速度が枚葉紙パイル８２の後縁部８６に到達の際に強く減少させられ、有利には停止され、その結果、サッカー８４の走出に際して若しくは吸引空気供給装置の接続に際して、吸着すべき枚葉紙２とサッカー８４との間の相対運動が全く若しくはほとんど生じない。搬送すべき枚葉紙２がサッカー８４によって吸着されてパイル８２から持ち上げられた後に、本発明に基づく搬送装置４の速度が増大されて、搬送装置、ひいては搬送装置によって搬送される枚葉紙２が枚葉紙のずり重ね給紙のために必要なずり重ね速度（Schuppengeschwindigkeit）を占める。この場合、本発明に基づく搬送装置４の加速は有利には一様に行われ、搬送される枚葉紙２が吸引空気供給装置の遮断に際して必要なずり重ね速度を占める大きさである。吸引空気供給装置の遮断の後に、制御兼調節装置３０が枚葉紙搬送装置４の速度を有利には次のように制御し、即ち、枚葉紙搬送装置の速度がまず増大され、次いで、枚葉紙パイル８２の後縁部８６に到達する直前に、再び前に述べた形式で減少される。
本発明に基づく枚葉紙搬送機構１の前述のすべての実施例において、枚葉紙搬送をもっぱら唯一の枚葉紙搬送装置４によって行うことが可能である。しかしながら有利には、多数の枚葉紙搬送装置４が案内レール６ａ，６ｂ内に用いられ、各枚葉紙搬送装置に同じ運動が生ぜしめられる。
本発明に基づく枚葉紙搬送機構１はまず枚葉紙輪転印刷機３の実施例について述べてあるものの、該枚葉紙搬送機構は同じ形式で公知の巻取紙輪転印刷機（Rollenrotationsdruckmaschine）内にも例えばウエーブ引き込み装置（Bahneinzugsvorrichtung）として用いられてよい。この場合、必ずしも相対する２つの案内レールを用いる必要はなく、１つの推進エレメントを備えた１つの案内レールをウエーブ引き込み路に沿って配置するだけで十分であり、引き込むべきペーパーウエーブの先行の端部が例えば突出部２０ａ，２０ｂ固定される。これは本発明の根底をなす原理を逸脱するものではない。
さらに、前記搬送機構の推進エレメントを印刷製品のための後続処理装置（Weiterverarbeitungsanlage）、例えば製本装置、又は折り装置内の搬送グリッパ（Transportgreifer）の駆動のために用いることも考えられる。この場合、印刷製品を保持するための搬送グリッパが例えばそれぞれ個別に推進エレメント１０ａ，１０ｂ；１１０ａ，１１０ｂの突出部２０ａ，２０ｂに取り付けられていてよく、従って、各搬送グリッパの運動が個別に制御並びに調節され得る。さらに有利には、前述のウエーブ引き込み装置の場合と同じように、相対する２つの案内レールの代わりにもっぱら唯一の案内レール６ａ，６ｂしか用いられなくてよい。
符号の説明
１  枚葉紙搬送機構、２  枚葉紙、３  印刷機、４  枚葉紙搬送装置、６ａ，６ｂ  案内レール、８ａ，８ｂ  駆動ステーション、１０ａ，１０ｂ  推進エレメント、１２  枚葉紙保持手段、１４  グリッパ、１６  トラバース、１８ａ，１８ｂ  ヒンジ、２０ａ，２０ｂ  突出部、２２ａ，２２ｂ  個別リンク、２４ａ，２４ｂ  継ぎ手、２６ａ，２６ｂ  縦スリット、２８  コイル、３０  制御兼調節装置、３２  センサ、５０，５２  圧胴、５２  圧胴、５４，５６  乾燥装置、５８，６０  レール路、６２  切換機構、７０  排紙装置、７２  枚葉紙パイル、８０  給紙装置、８２  枚葉紙パイル、８４  サッカー、８６  後縁部、１１０ａ，１１０ｂ  推進エレメント、１１８  スリット、１２０  案内部材、１２２  案内、１３２  センサ
【図１】
0004027424.tif 000002
【図２】
0004027424.tif 000003
【図３】
0004027424.tif 000004
【図４】
0004027424.tif 000005
【図５】
0004027424.tif 000006
【図６】
0004027424.tif 000007